(57)【要約】【課題】干渉が予想される周波数帯域を一々フィルタで除去することなく、新しい重複帯による干渉に対し、動的に(Dynamically)対処することができる方法及び装置を提供する。【解決手段】オン／オフ制御ができ、限定された動作帯域を有する複数の通信モジュールと、該複数の通信モジュールのオン／オフを制御し、前記制御による無線受信信号の帯域別の電力の大きさを感知し、かつ前記感知結果に基づいて前記複数の通信モジュールのオン／オフを制御するベースバンドコントローラとを備え、限定された動作帯域を有する複数の通信モジュールのオン／オフ状態による無線受信信号の帯域別の電力の大きさを感知するステップと、前記感知結果に基づいて前記限定された動作帯域を有する複数の通信モジュールのオン／オフを制御するステップと、前記干渉が予想される帯域の無線送受信信号を除去するステップとを含むことを特徴とする。【選択図】図２
2004336712.tif 000002
【特許請求の範囲】
【請求項１】
所定の限定された動作帯域を有する複数の通信モジュールのオン／オフ状態により無線受信信号の帯域別の電力の大きさを感知し、前記感知結果に基づいて前記限定された動作帯域を有する複数の通信モジュールの動作帯域をオン／オフ制御することにより、干渉が予想される帯域の無線受信信号を除去することを特徴とするＵＷＢ受信機。
【請求項２】
オン／オフ制御ができ、限定された動作帯域を有する複数の通信モジュールと、
前記複数の通信モジュールのオン／オフを制御し、前記制御による無線受信信号の帯域別電力の大きさを感知し、前記感知結果に基づいて前記複数の通信モジュールのオン／オフを制御するベースバンドコントローラとを備えることを特徴とするＵＷＢ受信機請求項１に記載のＵＷＢ受信機。
【請求項３】
前記干渉が予想される帯域の情報を格納し、前記格納された帯域の情報を他のＵＷＢ受信機に伝送するＭＡＣをさらに備えることを特徴とする請求項２に記載のＵＷＢ受信機。
【請求項４】
前記干渉が予想される帯域の情報が、マネジメントフレームを介して伝送されることを特徴とする請求項３に記載のＵＷＢ受信機。
【請求項５】
前記干渉が予想される帯域の情報が、物理層ヘッダーに格納されることを特徴とする請求項３に記載のＵＷＢ受信機。
【請求項６】
前記通信モジュールが、帯域阻止フィルタであることを特徴とする請求項１乃至５のいずれか１項に記載のＵＷＢ受信機。
【請求項７】
前記通信モジュールが、小信号増幅器であることを特徴とする請求項１乃至５のいずれか１項に記載のＵＷＢ受信機。
【請求項８】
オン／オフ制御ができ、限定された動作帯域を有する複数の通信モジュールを備え、前記複数の通信モジュールのオン／オフを制御することにより干渉が予想される帯域の無線送信信号を除去することを特徴とするＵＷＢ送信機。
【請求項９】
オン／オフ制御ができ、限定された動作帯域を有する複数の通信モジュールと、
前記複数の通信モジュールのオン／オフを制御し、干渉が予想される帯域の無線送信信号の伝送を制御するベースバンドコントローラとを備えることを特徴とする請求項８に記載のＵＷＢ送信機。
【請求項１０】
前記ベースバンドコントローラが、無線伝送信号の帯域別の伝送電力の大きさを制御する電力制御部を備えることを特徴とする請求項９に記載のＵＷＢ送信機。
【請求項１１】
前記通信モジュールが、帯域阻止フィルタであることを特徴とする請求項８乃至１０のいずれか１項に記載のＵＷＢ送信機。
【請求項１２】
前記通信モジュールが、小信号増幅器であることを特徴とする請求項８乃至１０のいずれか１項に記載のＵＷＢ送信機。
【請求項１３】
限定された動作帯域を有する複数の通信モジュールのオン／オフ状態による無線受信信号の帯域別の電力の大きさを感知し、前記感知結果に基づいて前記限定された動作帯域を有する複数の通信モジュールのオン／オフを制御することにより、干渉が予想される帯域の無線送受信信号を除去することを特徴とするＵＷＢ送受信機。
【請求項１４】
オン／オフ制御ができ、限定された動作帯域を有する複数の通信モジュールと、
前記複数の通信モジュールのオン／オフを制御し、前記制御による無線受信信号の帯域別の電力の大きさを感知し、前記感知結果に基づいて前記複数の通信モジュールのオン／オフを制御するベースバンドコントローラとを備えることを特徴とする請求項１３に記載のＵＷＢ送受信機。
【請求項１５】
前記ベースバンドコントローラが、前記無線受信信号の帯域別のＳＮＲにより前記無線送信信号の伝送電力の大きさを制御する電力制御部を備えることを特徴とする請求項１４に記載のＵＷＢ送受信機。
【請求項１６】
前記干渉が予想される帯域の情報を格納し、前記格納された干渉が予想される帯域の情報を他のＵＷＢ送受信機に伝送するＭＡＣをさらに備えることを特徴とする請求項１４に記載のＵＷＢ送受信機。
【請求項１７】
前記干渉が予想される帯域の情報が、マネジメントフレームを介して伝送されることを特徴とする請求項１６に記載のＵＷＢ送受信機。
【請求項１８】
前記干渉が予想される帯域の情報が、物理層ヘッダーに格納されることを特徴とする請求項１６に記載のＵＷＢ送受信機。
【請求項１９】
前記通信モジュールが、帯域阻止フィルタであることを特徴とする請求項１３乃至１８のいずれか１項に記載のＵＷＢ送信機。
【請求項２０】
前記通信モジュールが、小信号増幅器であることを特徴とする請求項１３乃至１８のいずれか１項に記載のＵＷＢ送信機。
【請求項２１】
限定された動作帯域を有する複数の通信モジュールのオン／オフ状態により無線受信信号の帯域別の電力の大きさを感知するステップと、
前記感知結果に基づいて前記限定された動作帯域を有する複数の通信モジュールのオン／オフを制御するステップと、
干渉が予想される帯域の無線受信信号を除去するステップとを含むことを特徴とするＵＷＢ信号受信方法。
【請求項２２】
複数の通信モジュールのオン／オフを制御するステップが、前記電力の大きさを感知した結果に基づいて、該当する通信モジュールをオンまたはオフ状態に設定するステップを含むことを特徴とする請求項２１に記載のＵＷＢ信号受信方法。
【請求項２３】
複数の通信モジュールのオン／オフを制御するステップと、
干渉が予想される帯域の無線送信信号を除去するステップとを含むことを特徴とするＵＷＢ信号送信方法。
【請求項２４】
複数の通信モジュールのオン／オフを制御するステップは、
帯域別に該当する各通信モジュールをオンまたはオフ状態に設定するステップと、
前記設定した結果を相手方のＵＷＢシステムと合意するステップとを含むことを特徴とする請求項２３に記載のＵＷＢ信号送信方法。
【請求項２５】
前記合意するステップは、
前記設定した結果に関する情報を格納するステップと、
前記情報を他のＵＷＢ受信機に伝送するステップとを含むことを特徴とする請求項２４に記載のＵＷＢ信号送信方法。
【請求項２６】
限定された動作帯域を有する複数の通信モジュールのオン／オフ状態による無線受信信号の帯域別電力の大きさを感知するステップと、
前記感知結果に基づいて前記限定された動作帯域を有する複数の通信モジュールのオン／オフを制御するステップと、
前記干渉が予想される帯域の無線送受信信号を除去するステップとを含むことを特徴とするＵＷＢ信号送受信方法。
【請求項２７】
複数の通信モジュールのオン／オフを制御するステップは、
前記電力の大きさを感知した結果に基づいて、該当する通信モジュールをオンまたはオフ状態に設定するステップと、
前記設定した結果を相手方のＵＷＢシステムと合意するステップとを含むことを特徴とする請求項２６に記載のＵＷＢ信号送受信方法。
【請求項２８】
前記合意するステップは、
前記干渉が予想される帯域の情報を格納するステップと、
前記格納された干渉が予想される帯域の情報を他のＵＷＢ受信機に伝送するステップとを含むことを特徴とする請求項２７に記載のＵＷＢ信号送受信方法。
【発明の詳細な説明】
【技術分野】
【０００１】
本発明は、ＬＮＡ、フィルタを含む受信部と、パワーアンプ、フィルタを含む送信部とを有するＲＦ送受信装置及び方法に関する。より詳しくは、ＵＷＢ(Ultra Wide Band)技術を使用したＲＦ送受信装置において、既存に用いられている無線通信の周波数帯域と重なる周波数帯域で生じ得る干渉等の問題を解決するための方法及び装置に関する。
【背景技術】
【０００２】
図１は、従来のＲＦ(Radio Frequency)送受信装置の構成を概略的に示した図である。図１に示すように、ＲＦシステムが受信モード(Receive mode)であるとき、スイッチは、ＬＮＡ(Low Noise Amplifier)の入力端に連結され、アンテナに入るＲＦ信号は、ＬＮＡを介してフィルタを経るようになる。搬送波を使用した場合は、前記フィルタを通ってからダウンコンバーターに連結され、搬送波を使用しない場合は、直ちに信号の復調回路に連結される。ＲＦシステムが送信モード(Transmit mode)であるとき、スイッチは、パワーアンプの出力端に連結されている。搬送波を用いる場合は、アップコンバーターを経た信号は、フィルタを通ってからパワーアンプで増幅された後、アンテナを介して電機エネルギーとして空間上に送信される。搬送波を使用しない場合は、変調された信号がそのままフィルタを経てパワーアンプで増幅された後、アンテナを介して送信される。
【０００３】
多くのＷＬＡＮ(wireless local network)またはＷＰＡＮ(wireless personal area network)で用いられる無線通信システムにおいて、有線通信に劣らず、データ伝送での高い伝送速度(data rate)を要求する場合が増えている。現在、存在するＷＬＡＮまたはＷＰＡＮ無線通信システムのうち、最も伝送速度が高いシステムであるＵＷＢを用いることにより、このような要求を満足させることができる。しかし、このような従来のＲＦ送受信装置では、一般に帯域幅がわずか２００〜３００ＭＨｚであるので、ＬＮＡ、パワーアンプ、フィルタを製作することが容易であり、決まった帯域を用いる場合は、他のシステムに干渉も殆ど与えないが、普通、数百メガまたはギガの帯域幅を有するＵＷＢ(Ultra Wide Band)を用いようとするときは、いくつか考慮しなければならない問題がある。ＵＷＢの最も大きい問題は、既に商用化されて一定の周波数帯域を占めている他の無線通信システムの帯域まで用いるということである。勿論、単位周波数当たりの電力密度が顕著に低く、他の無線通信システムに問題になるような干渉を与えないと知られているが、ＵＷＢシステムの信号電力が低く、受信感度が低い関係で、他の無線通信システムと重なる周波数バンドでは、誤作動が発生する可能性が大きい。また、ＵＷＢで用いられるＬＮＡ、パワーアンプ、フィルタは、広帯域を担当しなければならないため、担当する全体帯域において均一で良好な性能が得られず、周波数により信号の歪み等の問題が生じる。
【０００４】
従って、ＵＷＢシステムにおいて、動的にいろいろな周波数帯をフィルタで除去し、ＵＷＢシステムを用いるとき、周辺で用いる無線通信システムから干渉を受けないだけでなく、ＵＷＢシステムが、このような他の無線通信システムに干渉を与えない装置が必要となっている。
【発明の開示】
【発明が解決しようとする課題】
【０００５】
本発明は、干渉が予想される周波数帯域を一々フィルタで除去することなく、新しい重複帯による干渉に対し、動的に(Dynamically)対処することができる方法及び装置を提供することを目的とする。
【０００６】
本発明は、全ての広帯域で満足すべき性能を有することができない広帯域用ＬＮＡ、パワーアンプ、フィルタの性能を補完するために、従来、他のＲＦシステムのそれぞれの帯域で用いられるＬＮＡ、パワーアンプ、フィルタをそのまま用いながらも、これを解決できる方法及び装置を提供することを他の目的とする。
【課題を解決するための手段】
【０００７】
上記の目的を達成するため、本発明によるＵＷＢ送受信機は、オン／オフ制御ができ、限定された動作帯域を有する複数の通信モジュールと、該複数の通信モジュールのオン／オフを制御し、前記制御による無線受信信号の帯域別の電力の大きさを感知し、かつ前記感知結果に基づいて前記複数の通信モジュールのオン／オフを制御するベースバンドコントローラとを備えることを特徴とする。
【０００８】
また、本発明によるＵＷＢ信号送受信方法は、限定された動作帯域を有する複数の通信モジュールのオン／オフ状態による無線受信信号の帯域別の電力の大きさを感知するステップと、前記感知結果に基づいて前記限定された動作帯域を有する複数の通信モジュールのオン／オフを制御するステップと、前記干渉が予想される帯域の無線送受信信号を除去するステップとを含むことを特徴とする。
【発明の効果】
【０００９】
ＲＦ送受信装置において、ＵＷＢシステムが有する問題点は、第一に、使用する全体帯域で高い効率（全体帯域で均一なインパルス応答）を有するＬＮＡ、パワーアンプ、フィルタなどを作成し難く、第二に、既存の他のＲＦシステムに干渉を与えたりまたは受けたりする可能性があるということである。
【００１０】
本発明によると、既存に他のＲＦシステムのそれぞれの帯域で用いられるＬＮＡ、パワーアンプ、フィルタをそのまま用いて、上述したＵＷＢの問題を解決することにより、別途に広帯域を全て担当することができるＵＷＢ用ＬＮＡ、パワーアンプ、フィルタなどを開発する必要がないという点で、便利であり、かつ経済的であるという効果がある。
【００１１】
また、今後、新しい通信機器の出現により、既存の重複帯域だけでなく、新しい重複帯が現れる可能性が大きけれど、定めた周波数帯域を一々フィルタで除去することでなく、新しい重複帯による干渉に対して動的に対処することができるという効果がある。
【発明を実施するための最良の形態】
【００１２】
以下、本発明の好ましい実施の形態を、添付図面に基づいて詳しく説明する。
【００１３】
図２は、周波数帯域別に複数のフィルタを含むフィルタ部を有するＵＷＢ送受信装置の構成を示すブロック図である。図２を参照して、前記送受信装置は、ＵＷＢシステムの全ての帯域を担当する広帯域用ＬＮＡ２２０と、広帯域用パワーアンプ２７０と、複数のフィルタで構成されたフィルタ部２３０と、復調器２４０と、変調器２８０と、ベースバンドコントローラ２５０と、ＭＡＣ（媒体アクセス制御）２６０とを備えている。
【００１４】
各構成要素について詳しく説明すると、ＬＮＡ(Low Noise Amplifier)は、小信号増幅器のうち最も代表的なデバイスであって、空中を通し数多い経路を経る間、雑音が多くなり、強度が非常に弱くなった信号を解析可能な強度の信号として作るために必要なＲＦデバイスが小信号増幅器であり、その中で単純に利得のみを考慮した増幅器でなく、ノイズ成分も考慮した増幅器である。これは、ＵＷＢシステムの全ての帯域を担当する広帯域用ＬＮＡを用いる。
【００１５】
フィルタ部を構成するそれぞれのフィルタは、従来、存在しているＲＦシステムに用いられる帯域のみを選んで除去する帯域阻止フィルタ(Band Stop Filter)である。ＵＷＢ受信機で信号を受けるとき、特定周波数帯のスペクトルをフィルタで除去(filtering out)し、他の従来の無線通信システムとの干渉を避け、今後新たな通信機器の出現のため、従来の重複帯域だけでなく、新たな重複帯が現れる可能性が大きいので、定めた周波数帯域を一々フィルタで除去することなく、新たな重複帯による干渉に対し、動的に対処するために必要である。例えば、ＧＰＳ(Global Positioning System；衛星航法システム)帯域では、帯域阻止フィルタであるフィルタ１、及び５Ｇ帯の無線ラン帯域の帯域阻止フィルタであるフィルタ２等の既存の無線通信システムで使用する帯域の範囲によりフィルタを設ければよい。前記個々のフィルタには、オン−オフ可能なスイッチが取り付けられている。スイッチをオン状態にすると、入力側から入る信号は、所定のインピーダンスを有するフィルタを経ず短絡されたスイッチによってのみ伝達されるので、帯域阻止フィルタはオフ状態となる。スイッチをオフ状態にすると、入力側から入る信号はスイッチが開放され、所定のインピーダンスを有するフィルタを介して伝達されるので、帯域阻止フィルタはオン状態となる。
【００１６】
ベースバンドコントローラ２５０は、送受信部を介したＵＷＢパルス信号の送受信を処理するための全般的な動作制御を行うものであり、図３に示すように、電力測定部２５１と、オン−オフ制御部２５２と、電力制御部２５３とを備えている。構成要素別のそれぞれの機能は、図３を参照して後述する。
【００１７】
ＭＡＣ（媒体アクセス制御）２６０は、物理層の上部層に存在すると共にＵＷＢ通信によるデータ通信を管理するものであり、前記ベースバンドコントローラから受信された二進信号を伝達され、または送信する二進信号をベースバンドコントローラに伝達する。また、アンテナから受信されたＵＷＢパルス信号のデータシークエンスを元信号に復調する復調器２４０と、元信号の二進データをＵＷＢパルス信号に変調する変調器２８０と、変調部２８０から出力され、フィルタを経たＵＷＢパルス信号をＵＷＢチャネル伝送に適合するように伝送電力強度を増幅させるパワーアンプ２７０とを備えている。
【００１８】
受信側では、前記フィルタとＬＮＡの順序を変えてもよく、フィルタをＬＮＡの前後に共に設けてもよい。搬送波を用いるヘテロダインシステムまたは直接変換システム(direct conversion system)の場合、ダウンコンバーターを経ると、そもそも信号が有しているベースバンド(base band)帯域に信号を移して復調することができる。若し、搬送波を使用しないベースバンドシステムまたは一部ＵＷＢシステムであれば、ダウンコンバーターを経る必要なく、直ちに復調することができる。送信側では、フィルタとパワーアンプの順序を変えてもよく、フィルタをパワーアンプの前後に共に設けてもよい。搬送波を用いるヘテロダインシステムまたは直接変換システムの場合は、変調されたベースバンド信号を搬送波周波数の近くの帯域にアップコンバートさせる。ここで、アップコンバートされたＲＦ信号は、元来の空間上に送ろうとする帯域を有する。搬送波を使用しないシステムでは、変調した信号をアップコンバート過程を経ず、そのままフィルタを経るようになる。
【００１９】
図３は、本発明によるベースバンドコントローラの構造を簡単に示す図である。電力測定部２５１は、複数のフィルタがある場合は、個々のフィルタがオン／オフされることにより、複数のＬＮＡがある場合は、個々のＬＮＡがオン／オフされることにより、帯域空間上に入るＲＦ信号の電力の大きさを測定し、所定の大きさ以上の電力変化が発生する場合、その帯域は他の無線通信システムで用いられていると判断する装置である。
【００２０】
オン−オフ制御部２５２は、複数のフィルタがある場合は、個々のフィルタのオン／オフを制御することにより、使用しない帯域の信号を除去する役割を担当し、前記電力測定部２５１では、他の無線通信システムで用いていると判断される帯域に該当する帯域阻止フィルタをオンさせ、そうでない帯域に該当する帯域支持フィルタは、オフとなるようにスイッチを動的にオン−オフさせることができる。また、複数のＬＮＡがある場合は、個々のＬＮＡのオン／オフを制御することにより、使用しない帯域の信号を除去する役割を担当し、前記電力測定部２５１では、他の無線通信システムで用いていると判断される帯域に該当するＬＮＡをオフさせ、そうでない帯域に該当するＬＮＡはオンとなるようにスイッチを動的にオン−オフさせることができる。
【００２１】
さらに、電力制御部２５３は、受信された信号のＳＮＲ（信号対雑音比）により、ＵＷＢパルス信号の伝送電力の大きさを制御する。このように構成されるベースバンドコントローラ２５０の各構成要素は互いに独立して動作するため、データ伝送方法に応じて構成要素が追加されることがあり、図３に示した構成要素の一部のみが含まれてもよい。例えば、ベースバンドコントローラ２５０は、前記電力測定部２５１とオン−オフ制御部２５２のみで構成されてもよい、さらに伝送電力の大きさを調節する必要があれば、電力制御部２５３を備えて構成されてもよい。
【００２２】
図４は、周波数帯域別に複数のＬＮＡを含むＬＮＡ部と、複数のパワーアンプとを含むパワーアンプ部とを有するＵＷＢ送受信装置を示したブロック図である。前記図２での説明と重複しないように、図２と異なる部分のみを重点的に説明する。図４を参照して、本装置は、複数のＬＮＡからなるＬＮＡ部４２０と、複数のパワーアンプからなるパワーアンプ部４７０と、ＵＷＢシステムの全ての帯域を担当する広帯域用フィルタ４３０と、復調器２４０と、変調器２８０と、ベースバンドコントローラ２５０と、ＭＡＣ２６０とで構成されている。
【００２３】
前記ＬＮＡ部４２０は、複数のＬＮＡと、複数のＬＮＡの出力を集めて一つのポートに送出可能なＬＮＡコンバイナ（ＬＮＡ Ｃｏｍｂｉｎｅｒ）４２１とを有し、前記パワーアンプ部４７０は、複数のパワーアンプと、複数のパワーアンプの出力を集めて一つのポートに送出可能なパワーアンプコンバイナ(Power AMP Combiner)４７１とを有する。また、前記広帯域用フィルタ４３０は、ＵＷＢシステムの全ての帯域を担当する広帯域用フィルタである。
【００２４】
ＵＷＢ受信機で信号を受けるとき、特定周波数帯のスペクトルに対しては該当ＬＮＡ及びパワーアンプを使用しないように設計することにより、他の通信システムとオーバーラップされ、送受信時に使用しない帯域に対しては、該当ＬＮＡ及びパワーアンプを介した増幅過程を経ないことにより、他の既存の無線通信システムとの干渉を避けることができ、今後、新しい通信機器の出現で既存の重複帯域だけでなく、新しい重複帯が示される可能性が大きいため、新しい重複帯による干渉に対して動的に対処することができる。例えば、ＧＰＳ帯域では、該当ＬＮＡであるＬＮＡ１及びパワーアンプ１を設け、５Ｇ帯の無線ＬＡＮ帯域では、該当ＬＮＡであるＬＮＡ２及びパワーアンプ２を設けるような、既存の無線通信システムで使用する帯域の範囲に応じてフィルタを設ければよい。
【００２５】
上述した図２及び図４での実施の形態を組み合わせた一実施の形態、即ち、複数のフィルタで構成されたフィルタ部、複数のＬＮＡで構成されたＬＮＡ部、複数のパワーアンプで構成されたパワーアンプ部を全て有する送受信システムも可能である。若し、既存の無線通信と帯域が重なって発生する干渉のみが問題となると、前記図２での実施の形態または図４での実施の形態のみで解決することができるが、ＵＷＢシステムに用いられるＬＮＡ、パワーアンプ、フィルタが広帯域を担当しなければならないため、広帯域用ＬＮＡ、フィルタ、パワーアンプを用いても、全体帯域で均一な性能が得られず、周波数により信号の歪み等の問題が生じる。しかし、この実施の形態のように、各帯域別にＬＮＡ、フィルタ及びパワーアンプを備えると、前記した信号の歪み等の問題は生じなく、また既存のＬＮＡ、フィルタ、パワーアンプを用いて構成することができる。
【００２６】
図５は、周波数帯域別に複数のフィルタを有するＵＷＢ送受信装置において、使用しない周波数帯域を動的に決定する方法を示したフローチャートである。ＵＷＢ送受信装置がオンであるときまたは規則的に図５に示したフローチャートにより行う。先ず、図２に示したフィルタを全てオフさせる（Ｓ５１０）。その後、全体フィルタの一つをオンさせ、残りの全てのフィルタはオフさせる。次に、次のフィルタをオンさせ、残りの全てのフィルタはオフさせる。このような作業を全てのフィルタに対して行う（Ｓ５２０）。このような作業を経ると、どの帯域で干渉が発生するかを把握することできる。例えば、フィルタ２が５Ｇ帯の無線ＬＡＮ帯域をカバーすることができ、現在、５Ｇ帯域を他の装置が用いている場合、ＵＷＢ送受信装置がオンされたときまたは規則的にフィルタ１からフィルタｎまで順次一つずつオンさせると、フィルタ２をオンさせたとき、バンド空間上に入る全体のＲＦ信号の大きさが顕著に小さくなるものである。すると、これによってＵＷＢシステムは５Ｇ帯の無線ＬＡＮの存在が分かる。このように特定の帯域阻止フィルタがオンされた状態で、バンド空間上に入るＲＦ信号の電力が顕著に減少すると（Ｓ５３０）、その帯域を担当するフィルタは、つまりオンすることと決定し（Ｓ５４０）、顕著に減少しないと、該当受信部フィルタは、つまりオフすることと決定する（Ｓ５５０）。続いて、該当フィルタが最終のｎ番目のフィルタであるか否かをチェックする（Ｓ５６０）。最終のフィルタであると、ステップＳ５７０に進み、そうでないと、ステップＳ５２０に帰る。前記決定された結果のように受信するＵＷＢにおいて、他のフィルタはオフさせ、干渉が発生する帯域を担当するフィルタのみをオンさせておく（Ｓ５７０）。すると、干渉が発生する帯域において大きい電力(power)が入力されても、ＵＷＢボードに損傷を与えないようになる。また、このように決定した帯域情報を互いに送受信する相手方のＵＷＢ送受信装置に伝送し（Ｓ５８０）、該当帯域は使用しないように合意する（Ｓ５９０）。他のＵＷＢ送受信装置との通信のために、一定の帯域を使用しないことを両側が合意する方法は、ＭＡＣでマネジメントフレームを作成してこれを送受信することにより合意してもよく、使用しないように合意する帯域を物理層ヘッダー(PHY header)に示し、無線データ送受信中に知らせて合意することもできる。この場合、新しいフレームを作成してもよく、既存のフレームの“reserved bits”を用いてもよい。
【００２７】
図６は、周波数帯域別に複数のＬＮＡと複数のパワーアンプとを有するＵＷＢ送受信装置において、使用しない周波数帯域を動的に決定する過程を示したフローチャートである。ＵＷＢ送受信装置がオンされたときまたは規則的に図６に示したフローチャートにより行う。先ず、図４に示すようにＬＮＡを全てオンさせる（６１０）。その後、全体ＬＮＡの一つをオフさせ、残りの全てのＬＮＡをオンさせる。次に、次のＬＮＡをオフさせ、残りの全てのＬＮＡをオンさせる。このような作業を全てのＬＮＡに対して行う（Ｓ６２０）。このような作業を経ると、どの帯域で干渉が発生するかを把握することができる。
【００２８】
このように特定のＬＮＡがオンされた状態で、バンド空間上に入るＲＦ信号の電力が顕著に減少すると（Ｓ６３０）、その帯域を担当するＬＮＡは、つまりオフすることと決定し（Ｓ６４０）、顕著に減少しないと、該当ＬＮＡ及びパワーアンプは、つまりオンすることと決定する（Ｓ６５０）。続いて、該当ＬＮＡが最終のｎ番目のＬＮＡであるか否かをチェックする（Ｓ６６０）。最終のＬＮＡであると、ステップＳ６７０に進み、そうでないと、ステップＳ６２０に帰る。その後、合意された結果のように受信するＵＷＢにおいて、他のＬＮＡはオンさせ、干渉が発生する帯域を担当するＬＮＡのみをオフさせておく（Ｓ６７０）。また、このように決定した帯域情報を互いに送受信する相手方のＵＷＢ送受信装置に伝送し（Ｓ６８０）、該当帯域は使用しないように合意する（Ｓ６９０）。
【００２９】
図７は、複数のフィルタ、ＬＮＡ、パワーアンプを全て使用する場合において、使用しない周波数帯域を決定した後、ＵＷＢシステム間に信号を送受信する過程を示したフローチャートである。先ず、前記図５または図６の実施の形態におけるような合意過程により、フィルタ部、ＬＮＡ部、パワーアンプ部を設定する（Ｓ７１０）。その後、第１のＵＷＢ送受信装置の変調器がベースバンドコントローラから伝送しようとする二進信号を入力される（Ｓ７２０）。この入力された二進信号を変調器でＵＷＢパルス信号に変調する（Ｓ７３０）。搬送波を使用した場合は、ダウンコンバーターを介した後、変調過程を経るようになり、搬送波を使用しない場合は、直ちに信号の変調器に連結される。変調された信号は、送信側フィルタ部を介し、使用しない帯域の信号は阻止される（Ｓ７４０）。その後、使用する帯域の信号のみをパワーアンプ部で増幅させ（Ｓ７５０）、アンテナを介してＵＷＢパルス信号を送信する（Ｓ７６０）。
【００３０】
送信された信号は、空間上のＵＷＢチャネルを介して伝搬され、第２のＵＷＢ送受信装置のアンテナを介して受信される（Ｓ７７０）。その後、受信された信号をＬＮＡ部を通過させることにより増幅させ（Ｓ７８０）、受信側フィルタ部で使用しない帯域の信号を阻止する（Ｓ７９０）。ＵＷＢ復調器において、前記フィルタ部を通過したパルス信号のみを二進信号に復調する（Ｓ７９５）。搬送波を使用した場合は、前記フィルタ部を通った後、ダウンコンバーターに連結され、搬送波を使用しない場合は、直ちに信号の復調器に連結される。復調器を経た二進信号はベースバンドコントローラに伝えられる（Ｓ７９９）。
【００３１】
以上、本発明を好ましい実施の形態を挙げて詳しく説明したが、本発明は、前記実施の形態に限定されず、本発明の技術的思想の範囲内で当該分野において通常の知識を有する者により様々な変形が可能である。
【図面の簡単な説明】
【００３２】
【図１】従来のＲＦ送受信装置の構成を概略的に示した図である。
【図２】周波数帯域別に複数のフィルタを含むフィルタ部を有するＵＷＢ送受信装置を示したブロック図である。
【図３】本発明によるベースバンドコントローラの構造を簡単に示した図である。
【図４】周波数帯域別に複数のＬＮＡを含むＬＮＡ部と複数のパワーアンプを含むパワーアンプ部とを有するＵＷＢ送受信装置を示したブロック図である。
【図５】周波数帯域別に複数のフィルタを有するＵＷＢ送受信装置において、使用しない周波数帯域を動的に決定する過程を示したフローチャートである。
【図６】周波数帯域別に複数のＬＮＡと複数のパワーアンプとを有するＵＷＢ送受信装置において、使用しない周波数帯域を動的に決定する過程を示したフローチャートである。
【図７】複数のフィルタ、ＬＮＡ、パワーアンプを全て用いる場合において、使用しない周波数帯域を決定した後、ＵＷＢシステム間に信号を送受信する過程を示したフローチャートである。
【符号の説明】
【００３３】
２２０  広帯域用ＬＮＡ
２３０  フィルタ部
２４０  復調器
２５０  ベースバンドコントローラ
２６０  ＭＡＣ
２７０  広帯域用パワーアンプ
２８０  変調器
【図１】
2004336712.tif 000003
【図２】
2004336712.tif 000004
【図３】
2004336712.tif 000005
【図４】
2004336712.tif 000006
【図５】
2004336712.tif 000007
【図６】
2004336712.tif 000008
【図７】
2004336712.tif 000009